(57)【要約】【課題】展開式バックルを有するタイプのクラスプに関して、従来技術の問題を克服する。【解決手段】本発明のブレスレットのクラスプは、矩形の基部要素（５０）を含み、この基部要素（５０）の各長辺部分は、それぞれ少なくとも２つの板ばね（５、６；７、８）で形成されたサイドバー（１、２）で形成され、前記板ばね（５、６；７、８）は弾性デバイスを形成し、この弾性デバイスは、第１の折り畳み部分（３）及び第２の折り畳み部分（４）を前記基部要素上でロックでき、また前記サイドバー（１、２）に同時に圧力を印加した場合には前記基部要素から係合解除できる。【選択図】図２
2015089522.tif 000002
【特許請求の範囲】
【請求項１】
第１の長辺部分及び第２の長辺部分がそれぞれ第１のサイドバー（１）及び第２のサイドバー（２）で形成された略矩形の基部要素（５０）と、前記基部要素（５０）の第１の短辺部分及び第２の短辺部分にそれぞれヒンジ留めされた第１の枢動折り畳み部分（３）及び第２の枢動折り畳み部分（４）とを含む展開式バックルを有するタイプのブレスレットのクラスプであって、
前記折り畳み部分（３、４）は、前記基部要素（５０）上に折り重なり、弾性デバイスの作用によってそのまま保持されるように設けられ、
前記弾性デバイスは、前記基部要素（５０）及び前記折り畳み部分（３、４）に作用して前記基部要素（５０）上での前記第１の折り畳み部分（３）及び前記第２の折り畳み部分（４）のロック及びその後の前記基部要素（５０）からの係合解除をそれぞれ可能とするロック及びロック解除機構と連携するクラスプにおいて、
前記第１のサイドバー（１）及び前記第２のサイドバー（２）は、前記弾性デバイスを形成する少なくとも２つの板ばね（５、６、７、８）で形成され、各前記サイドバー（１、２）に圧力を同時に印加することによって前記折り畳み部分（３、４）を前記基部要素（５０）からロック解除できることを特徴とする、クラスプ。
【請求項２】
前記ロック及びロック解除機構は、前記第１の折り畳み部分（３）の自由端部（１１）が備える第１のフック（９）及び第２のフック（１０）、並びに前記第２の折り畳み部分（４）の自由端部（１４）が備える第３のフック（１２）及び第４のフック（１３）からなり、
前記第１のフック（９）及び前記第３のフック（１２）は、前記第１のサイドバー（１）が備える第１のロック（１５）及び第２のロック（１６）によってそれぞれロックされるように設けられ、
前記第２のフック（１０）及び前記第４のフック（１３）は、前記第２のサイドバー（２）が備える第３のロック（１７）及び第４のロック（１８）によってそれぞれロックされるように設けられている
ことを特徴とする、請求項１に記載のクラスプ。
【請求項３】
前記第１のサイドバー（１）及び前記第２のサイドバー（２）は、それぞれ第１のプッシュ部品（１９）及び第２のプッシュ部品（２０）を備えていることを特徴とする、請求項１に記載のクラスプ。
【請求項４】
前記第１のサイドバー（１）及び前記第２のサイドバー（２）を形成する前記板ばね（５、６；７、８）は、隣接して設けられていることを特徴とする、請求項１に記載のクラスプ。
【請求項５】
前記第１のサイドバー（１）及び前記第２のサイドバー（２）を形成する前記板ばね（５、６；７、８）は、中実のスペーサ（２１）によって隔てられていることを特徴とする、請求項１に記載のクラスプ。
【請求項６】
第１のブレスレットのストランドは、前記第１の折り畳み部分（３）の前記自由端部（１１）に固定され、第２のブレスレットのストランドは、前記第２の折り畳み部分（４）の前記自由端部（１４）に固定されていることを特徴とする、請求項１に記載のクラスプ。
【請求項７】
第１の長辺部分及び第２の長辺部分がそれぞれ第１の剛性アーム（３１）及び第２の剛性アーム（３２）で形成された略矩形の基部要素（３０）と、前記基部要素（３０）の第１の短辺部分及び第２の短辺部分のうちの１つにヒンジ留めされた枢動折り畳み部分（３３）とを含む展開式バックルを有するタイプの、ブレスレットのクラスプであって、
前記枢動折り畳み部分（３３）は、前記基部要素（３０）上に折り重なり、弾性デバイスの作用によってそのまま保持されるよう配設され、
前記弾性デバイスは、前記基部要素（３０）及び前記折り畳み部分（３３）に作用して前記基部要素（３０）上への前記折り畳み部分（３３）のロック及びその後の前記基部要素（３０）からの前記折り畳み部分（３０）の係合解除をそれぞれ可能とするロック及びロック解除機構と連携するクラスプにおいて、
第１のサイドバー（３４）及び第２のサイドバー（３５）は、前記弾性デバイスを形成する少なくとも２つの板ばね（３６、３７；３８、３９）で形成され、各前記サイドバー（３４、３５）に圧力を同時に印加することによって前記折り畳み部分（３３）を前記基部要素（３０）からロック解除できることを特徴とする、クラスプ。
【請求項８】
前記ロック及びロック解除機構は、それぞれ前記第１の剛性アーム（３１）及び前記第２の剛性アーム（３２）の自由端部側に設けられた第１のフック（４０）及び第２のフック（４１）で形成され、
前記第１のフック（４０）及び第２のフック（４１）は、前記第１のサイドバー（３４）及び前記第２のサイドバー（３５）が備える第１のロック（４２）及び第２のロック（４３）によってそれぞれロックされるように設けられている
ことを特徴とする、請求項７に記載のクラスプ。
【請求項９】
前記第１のサイドバー（３４）及び前記第２のサイドバー（３５）は、それぞれ第１のプッシュ部品（４５）及び第２のプッシュ部品（４６）を備えていることを特徴とする、請求項７に記載のクラスプ。
【請求項１０】
前記第１のサイドバー（３４）及び前記第２のサイドバー（３５）を形成する板ばね（３６、３７；３８、３９）は、隣接して設けられていることを特徴とする、請求項７に記載のクラスプ。
【請求項１１】
前記第１のサイドバー（３４）及び前記第２のサイドバー（３５）を形成する前記板ばね（３６、３７；３８、３９）は、中実のスペーサ（４７、５１）によって隔てられていることを特徴とする、請求項７に記載のクラスプ。
【請求項１２】
第１のブレスレットのストランドは、前記第１の折り畳み部分（３３）の自由端部（４８）に固定され、第２のブレスレットのストランドは、前記基部要素（３０）の自由端部（４９）に固定されていることを特徴とする、請求項７に記載のクラスプ。
【発明の詳細な説明】
【技術分野】
【０００１】
本発明は、展開式バックルを有するタイプのクラスプに関し、前記展開式バックルは２つの折り畳み部分又は単一の折り畳み部分を有しており、前記１つ又は複数の折り畳み部分は基部要素にヒンジ留めされている。
【０００２】
本発明の第１の実施形態は、第１の長辺部分及び第２の長辺部分がそれぞれ第１のサイドバー及び第２のサイドバーで形成された略矩形の基部要素と、前記基部要素の第１の側部及び第２の側部にヒンジ留めされた第１の枢動折り畳み部分及び第２の枢動折り畳み部分とを含む展開式バックルを有するタイプのクラスプに関し、前記折り畳み部分は、前記基部要素上に折り重なり、弾性デバイスの作用によってそのまま保持されるように設けられ、前記弾性デバイスは、前記基部要素及び前記折り畳み部分に作用して前記基部要素上での前記第１の部分及び第２の部分のロック及びその後の前記基部要素からの係合解除をそれぞれ可能とする、ロック及びロック解除機構と連携する。
【背景技術】
【０００３】
段落０００２に記載の説明と一致するブレスレットのクラスプは、従来技術において公知である。
【０００４】
特許文献１は、基部と、基部上に折り重なり、１つ又は２つのらせんばねで形成された弾性デバイスの作用によってそのまま保持される２つの折り畳み部分とで形成されたクラスプを開示している。このようなばねの使用を回避してクラスプの構造を簡素化するために、特許文献２は基部要素で形成されたクラスプを提案しており、基部要素を形成するサイドバーが有する弾性を変化させることにより、この基部要素上に２つの折り畳み部分と折り重ね、ロックした状態で保持できる（特に特許文献２の図３を参照）。サイドバーに一体化されたプッシュ部品を押圧すると、折り畳み部分はいずれの係合からも解放され、これによりクラスプを開放できる。
【０００５】
しかしながら特許文献２が提案する解決法は、基部要素を構成するサイドバーに、折り畳み要素を基部要素上に適切に保持するのに必要な弾性を提供しながら、基部要素の構造の高い剛性を保証すること、及び前記サイドバーに力が印加された際に前記折り畳み部分を解放できるようにすることからなる問題を提起している。
【０００６】
上で提起された問題に対する答えを提供するために、本発明は、本発明の第１の実施形態に関する記載の第２段落において設定した包括的定義に従うだけでなく、基部要素が、前記弾性デバイスを形成する少なくとも２つの板ばねでそれぞれ形成された第１のサイドバー及び第２のサイドバーを有し、各サイドバーに圧力を同時に印加することによって前記折り畳み部分を前記基部要素からロック解除できるという点において優れている。
【０００７】
本発明の第２の実施形態は、第１の長辺部分及び第２の長辺部分がそれぞれ第１の剛性アーム及び第２の剛性アームで形成された略矩形の基部要素と、前記基部要素の短辺部分のうちの１つにヒンジ留めされた枢動折り畳み部分を含む展開式バックルとを有するタイプのクラスプに関し、前記折り畳み部分は第１のサイドバー及び第２のサイドバーを含み、前記折り畳み部分は、前記基部要素上に折り重なり、弾性デバイスの作用によってそのまま保持されるよう設けられ、前記弾性デバイスは、前記基部要素及び前記折り畳み部分に作用して前記基部要素上への前記折り畳み部分の係合及び前記基部要素からの前記折り畳み部分の係合解除をそれぞれ可能とする、ロック及びロック解除機構と連携する。
【０００８】
段落０００７に記載した説明と実質的に一致するクラスプが、特許文献３において提案されている。特許文献３は、２つの剛性アームを含み基部及び折り畳み部分で形成されたクラスプを記載しており、前記折り畳み部分は、前記折り畳み部分を形成するサイドバーが有する弾性を変化させることにより基部上に折り重ね、ロックした状態で保持できるように設けられている（特に特許文献３の図１を参照）。サイドバーに一体化されたプッシュ部品を押圧すると、折り畳み部分はいずれの係合から解放され、これによりクラスプを開放できる。
【０００９】
しかしながら特許文献３が提案する解決法は、基部要素を構成するサイドバーに、折り畳み要素を基部要素上に適切に保持するのに必要な弾性を提供しながら、基部要素の構造の高い剛性を保証すること、及び前記サイドバーに力が印加された際に前記折り畳み部分を解放できるようにすることからなる問題を提起している。
【先行技術文献】
【特許文献】
【００１０】
【特許文献１】欧州特許第１９２５２２７Ｂ１号
【特許文献２】スイス特許第７０３２９４号
【特許文献３】欧州特許第２５０２５１５号
【発明の概要】
【発明が解決しようとする課題】
【００１１】
上で提起された問題に対する答えを提供するために、本発明は、本発明の第２の実施形態に関する記載の第２段落において設定した包括的定義に従うだけでなく、基部要素が、前記弾性デバイスを形成する少なくとも２つの板ばねでそれぞれ形成された第１のサイドバー及び第２のサイドバーを含み、各サイドバーに圧力を同時に印加することによって前記折り畳み部分を前記基部要素からロック解除できるという点において優れている。
【課題を解決するための手段】
【００１２】
本発明の特徴及び利点は、請求項１に記載した内容及び添付の図面に参照し、クラスプの２つの有利な実施形態の例示を目的とした非限定的な例として与えられる下記の説明から、より明らかになるであろう。
【図面の簡単な説明】
【００１３】
【図１】図１は、第１の実施形態に従って作製された本発明によるクラスプの斜視図であり、ここで２つの折り畳み部分は基部上に折り重なっている。
【図２】図２は、図１に示すクラスプの斜視図であり、折り畳み部分を基部要素から係合解除した状態で示す。
【図３】図３は、図１に示すクラスプの平面図である。
【図４】図４は、図３のIV‐IV線に沿った断面図である。
【図５】図５は、図３のV‐V線に沿った断面図である。
【図６】図６は、第２の実施形態に従って作製された本発明によるクラスプの斜視図であり、ここで単一の折り畳み部分は基部上に折り重なっている。
【図７】図７は、図６に示すクラスプの斜視図であり、折り畳み部分を基部要素から係合解除した状態で示す。
【図８】図８は、図６に示すクラスプの平面図である。
【図９】図９は、図８のIX‐IX線に沿った断面図である。
【発明を実施するための形態】
【００１４】
図１〜５は、本発明によるクラスプの第１の実施形態に関するものである。これより、第１の実施形態を詳細に説明する。
【００１５】
図１、２は、略矩形の基部要素５０を含む展開式バックルを有するタイプのブレスレットのクラスプの斜視図である。この要素は、第１のサイドバー１及び第２のサイドバー２でそれぞれ形成された第１の長辺部分及び第２の長辺部分を含む。クラスプは、また第１の折り畳み部分３及び第２の折り畳み部分４も有し、これらはそれぞれ、基部要素５０の第１の短辺部分及び第２の短辺部分に、第１のアーバ６０及び第２のアーバ６１の周りで枢動可能に設置されてヒンジ留めされ、前記アーバはねじ６２によって定位置に保持されている。折り畳み部分３、４は、図１〜５に明確に示すように、基部要素５０上、特に前記要素の内側に折り重なるように設けられている。前記折り畳み部分３、４は、弾性デバイスの作用によって基部要素５０上の折り重なり位置に保持され、前記弾性デバイスは、前記基部要素５０及び前記折り畳み部分３、４に作用して前記基部要素５０上での前記第１の折り畳み部分３及び前記第２の折り畳み部分４のロック並びにその後の前記基部要素５０からの係合解除を可能とする、ロック及びロック解除機構と連携する。
【００１６】
前記の記載に関して、本発明のクラスプが先行技術文献から公知である原理と異なる点は、実装した弾性デバイスの独創性であり、これは、少なくとも２つの板ばねでそれぞれ形成された第１のサイドバー及び第２のサイドバーを提案することからなる。図１〜５において、第１のサイドバー１は板ばね５、７を備え、第２のサイドバー２は板ばね６、８を備えている。
【００１７】
従って本発明は、基部要素の長辺部分を形成する各サイドバーを取り付けるための板ばねとして、前記基部要素の良好な剛性を保証し、それによって前記基部要素のいずれの歪みも防止する目的で、単一の板ばねではなく少なくとも２つの板ばねを提案する。更に、薄い板ばねを使用することにより、原理的に様々な利点を提供する。このような薄い板ばねは容易に切断できるため、製造にコストがかからず、切断に使用する手段は、板ばねの作製のために選択した材料に応じて、例えば水噴射、レーザ又は打ち抜き加工手段等から選択される。別の利点は、例えば複合体、非晶質金属又はばね鋼等、利用できる材料の選択肢が広いことにある。最後に、板ばねの特性は様々な様式で改変でき、その様式としては以下を挙げることができる：板ばねを厚さの薄い又は分厚いシートに切断する板ばねを積み重ねる、及び板ばねの基礎材料を変更する。
【００１８】
ここで、少なくとも２つの板ばねを積み重ねることにより、単一の板ばねがもたらす撓みを維持しながら、ばねの剛性を２倍にする。
【００１９】
３つの板ばねを利用する場合、組立体の剛性は式：Ｋ＝ｎｋに従って３倍となる。ここでＫは組立体の剛性、ｎは板ばねの数、ｋは１つの板ばねの剛性である。換言すると、少なくとも２つの板ばねを用いて各サイドバーを取り付けることで、折り畳み部分を基部要素から係合解除するのに解放するのに必要な力は２倍になるが、係合解除のために移動させなければならない経路は同一のままである。
【００２０】
これより、基部要素５０上での第１の折り畳み部分３及び第２の折り畳み部分４の係合及び係合解除それぞれのために実装されるロック及びロック解除機構について説明する。図２、４は、この機構が、第１の折り畳み部分３の自由端部１１が備える第１のフック９及び第２のフック１０、並びに第２の折り畳み部分４の自由端部１４が備える第３のフック１２及び第４のフック１３からなることを示す。前記第１のフック９及び第３のフック１２は、前記第１のサイドバー１が備える第１のロック１５及び第２のロック１６によってそれぞれロックされるよう配設され、前記第２のフック１０及び第４のフック１３は、前記第２のサイドバー２が備える第３のロック１７及び第４のロック１８によってそれぞれロックされるよう配設されている。
【００２１】
図１〜４は、第１のロック１５及び第２のロック１６が、第１のサイドバー１が備える第１の要素６５に成形されていること、並びに第３のロック１７及び第４のロック１８が、第２のサイドバー２が備える第２の要素６６に成形されていることをより詳細に示している。  
【００２２】
各サイドバー１、２に印加される横方向からの圧力により、ロック１５、１７（図４を参照）及びロック１６、１８（図２を参照）が同時に移動し、これにより第１の折り畳み部分３と一体であるフック９、１０、及び第２の折り畳み部分４と一体であるフック１２、１３がそれぞれ係合解除されることが理解されるだろう。その後クラスプは開放プロセスに入る。各サイドバーに印加する手動操作を容易にするために、第１のプッシュ部品１９及び第２のプッシュ部品２０は、それぞれ前記第１のサイドバー１及び第２のサイドバー２に固定されている。図１、２、３、５は更に、第１のプッシュ部品１９、第１のサイドバー１及び第１の要素６５で形成された組立体、並びに第２のプッシュ部品２０、第２のサイドバー２及び第２の要素６６で形成された組立体をそれぞれ固定するための、第１のねじ６７及び第２のねじ６８が設けられていることを示している。
【００２３】
第１のサイドバー１を形成する板ばね５、７、及び第２のサイドバー２を形成する板ばね６、８は、隣接して設置していてもよく、この構成については図示していない。図面は、これらの板ばねが中実のスペーサ２１によって隔てられていることを示している。これにより、板ばね間の摩擦及び腐食によって生じる問題を回避している。これらのスペーサは、また起こり得る基部要素の歪みも低減すること、即ちねじり力に対する抵抗を増大させていることに留意されたい。また、中実のスペーサ２１間に残された自由空間を、例えばゴムである軟質充填材で充填できることにも留意されたい。
【００２４】
図示していないが、第１のブレスレットのストランドは第１の折り畳み部分３の自由端部１１に固定され、第２のブレスレットのストランドは第２の折り畳み部分４の自由端部１４に固定されることは言うまでもない。
【００２５】
図６〜９は、本発明に従って作製したクラスプの第２の実施形態に関する。これより、この第２の実施形態を詳細に説明する。
【００２６】
図６、７は、略矩形の基部要素３０を含む展開式バックルを有するタイプのブレスレットのクラスプの斜視図である。この要素は、第１の剛性アーム３１及び第２の剛性アーム３２でそれぞれ形成された第１の長辺部分及び第２の長辺部分を含む。クラスプは更に、折り畳み部分３３を有し、この折り畳み部分３３は、前記基部要素３０の短辺部分のうちの１つに、前記短辺部分を形成するアーバ７０の周りで枢動可能に設けられてヒンジ留めされ、このアーバはねじ７１によって定位置に保持されている。折り畳み部分３３は第１のサイドバー３４及び第２のサイドバー３５を有し、また図６、７、８に明確に示すように、基部要素３０上、特に前記要素の内側に折り重なるように設けられている。折り畳み部分３３は、弾性デバイスの作用によって基部要素３０上の折り重なり位置に保持され、前記弾性デバイスは、前記基部要素３０及び前記折り畳み部分３３に作用して前記基部要素３０上での前記折り畳み部分３３のロック及びその後の前記基部要素３０からの前記折り畳み部分３３の係合解除を可能とする、ロック及びロック解除機構と連携する。
【００２７】
前記の記載に関して、本発明のクラスプは、実装した弾性デバイスの独創性において従来技術とは異なり、これは、少なくとも２つの板ばねでそれぞれ形成された第１のサイドバー３４及び第２のサイドバー３５を提案することからなる。図６〜９において、第１のサイドバー３４は板ばね３６、３７を備え、第２のサイドバー３５は板ばね３８、３９を備えている。
【００２８】
従って本発明は、折り畳み部分を備える各サイドバーを取り付けるための板ばねとして、前記折り畳み部分の良好な剛性を保証し、それによってサイドバーのいずれの歪みも防止する目的で、単一の板ばねではなく少なくとも２つの板ばねを提案する。更に、薄い板ばねを使用することにより、クラスプの第１の実施形態に関して上に挙げた利点と同一の利点が提供され、読者は前記説明の一部を参照するとよい。
【００２９】
これより、基部要素３０上での折り畳み部分３３のロック及び基部要素３０からの係合解除それぞれのために実装されるロック及びロック解除機構を説明する。図７〜９は、この機構が、それぞれ第１の剛性アーム３１及び第２の剛性アーム３２の自由端部４９側に設けられた第１のフック４０及び第２のフック４１で形成されることを示している。前記第１のフック４０及び第２のフック４１は、前記第１のサイドバー３４及び第２のサイドバー３５が、前記バーを形成する板ばねの自由端部側に備える第１のロック４２及び第２のロック４３によってそれぞれロックされるように設けられている。
【００３０】
各サイドバー３４、３５に印加される横方向からの圧力により、ロック４２、４３は近接するように同時に移動し、基部要素３０の剛性アーム３１、３２が備えるフック４０、４１からそれぞれ解放される（図９を参照）ことが理解されるだろう。その後クラスプは開放プロセスに入る。各サイドバーに印加する手動操作を容易にするために、第１のプッシュ部品４５及び第２のプッシュ部品４６は、それぞれ前記第１のサイドバー３４及び第２のサイドバー３５に固定されている。
【００３１】
第１のサイドバー３４を形成する板ばね３６、３７、及び第２のサイドバー３５を形成する板ばね３８、３９は、隣接して設置していてもよく、この構成については図示していない。ここでは図面は、これらの板ばねが中実のスペーサによって隔てられていることを示しており、基部要素３０に対するヒンジ留め点において板ばねを隔てている中実のスペーサを符号４７、前記板ばねの自由端部において前記板ばねを隔てている中実のスペーサを符号５１で示す。これにより、第１の実施形態に関して既に述べたように、板ばね間の摩擦及び腐食によって生じる問題を回避している。また、板ばね間に残された自由空間を、例えばゴムである軟質充填材で充填できることにも留意されたい。
【００３２】
プッシュ部品、２つの板ばね、スペーサ及びロックを含む各サイドバーの自由端部を取り付けるために、様々な構成を想定できる。図６、７はこれらの構成のうちの１つを提案している。ここでは細長スペーサ５１が、サイドバー３４を形成する板ばね３６、３７間に挟まれている。基部要素３０の第１の剛性アーム３１が備えるフック４０によって、スペーサ５１と一体形成されたロック４２を保持できる。プッシュ部品４５は、第１の板ばね３６の外面上においてサイドバー３４にねじ５２で固定され、このねじ５２は、第２の板ばね３７の外面に取り付けられた裏側部品５３にねじ込まれる。同じ構造をサイドバー３５にも採用している。
【００３３】
第１のブレスレットのストランド、特にブレスレットを腕時計に取り付ける場合は１２時位置のストランドが、折り畳み部分３３の自由端部４８に固定されることも付記しておく。この場合、例えばスペーサ５１の端部に作製された孔５４を通過するバーを用いて締結が達成される。
【００３４】
同様に、基部要素３０の自由端部４９にブリッジ５５が設けられ、このブリッジ５５は第１の剛性アーム３１及び第２の剛性アーム３２を接続し、またこのブリッジには、第２のブレスレットのストランド、特に穿孔を備える６時位置のストランドを受承する目的で、スタッド５６が取り付けられている。この締結により、ブレスレットの長さを調整することもできる。
【符号の説明】
【００３５】
１    第１のサイドバー
２    第２のサイドバー
３    第１の枢動折り畳み部分
４    第２の枢動折り畳み部分
５    板ばね
６    板ばね
７    板ばね
８    板ばね
９    第１のフック
１０  第２のフック
１１  第１の折り畳み部分（３）の自由端部
１２  第３のフック
１３  第４のフック
１４  第２の折り畳み部分（４）の自由端部
１５  第１のロック  
１６  第２のロック
１７  第３のロック
１８  第４のロック
１９  第１のプッシュ部品
２０  第２のプッシュ部品
２１  中実のスペーサ
３０  基部要素
３１  第１の剛性アーム
３２  第２の剛性アーム
３３  折り畳み部分
３４  第１のサイドバー
３５  第２のサイドバー
３６  板ばね
３７  板ばね
３８  板ばね
３９  板ばね
４０  第１のフック
４１  第２のフック
４２  ロック
４３  第１のロック
４４  第２のロック
４５  第１のプッシュ部品
４６  第２のプッシュ部品
４７  中実のスペーサ
４８  折り畳み部分（３３）の自由端部
４９  基部要素（３０）の自由端部
５０  基部要素
５１  中実のスペーサ
５２  ねじ
５３  裏側部品
５４  孔
５５  ブリッジ
５６  スタッド
６０  第１のアーバ
６１  第２のアーバ
６２  ねじ
６５  第１の要素
６６  第２の要素
６７  第１のねじ
６８  第２のねじ
７０  アーバ
７１  ねじ
【図１】
2015089522.tif 000003
【図２】
2015089522.tif 000004
【図３】
2015089522.tif 000005
【図４】
2015089522.tif 000006
【図５】
2015089522.tif 000007
【図６】
2015089522.tif 000008
【図７】
2015089522.tif 000009
【図８】
2015089522.tif 000010
【図９】
2015089522.tif 000011